(57)【特許請求の範囲】
【請求項１】
身体の背中に対応する位置にランヤード連結用の連結金具を備えたフルハーネス型の墜落静止用器具を装着した作業者が、当該墜落静止用器具の上から着用することが可能な作業用衣服であって、
前身ごろおよび後見ごろを備えた衣服本体と、
前記後身ごろのうち、前記連結金具に対応する位置に形成されて、当該連結金具を外部に露出させる開口部と、
前記開口部を、前記衣服本体の内側から覆う内カバーと、
前記開口部を前記内カバーにより覆った状態で当該内カバーを前記後身ごろに対して係脱可能に係止することが可能な係止部材と、を備え、
前記内カバーは、前記連結金具の位置で前記墜落静止用器具の一部と共に前記開口部を身体側から覆うことが可能に形成されている、ことを特徴とする作業用衣服。
【請求項２】
請求項１に記載の作業用衣服において、
前記開口部は、外部設備に対して前記ランヤードを係止するために当該ランヤードの先端に備えられたフックを通過させることが可能な開口面積を有している、ことを特徴とする作業用衣服。
【請求項３】
請求項１又は２に記載の作業用衣服において、
前記内カバーは、その周縁部分の一部が前記後身ごろに一体に固定されており、
前記係止部材は、前記内カバーの周縁部分のうち前記一部以外の部分の全部又は一部を前記後身ごろに対して係脱可能に係止することが可能である、ことを特徴とする作業用衣服。
【請求項４】
請求項１乃至３の何れか一項に記載の作業用衣服において、
前記ランヤードの前記連結金具を第１連結金具、前記衣服本体の前記開口部を第１開口部、前記内カバーを第１内カバー、前記係止部材を第１係止部材と定義したときに、
前記墜落静止用器具は、身体の左胸及び／又は右胸に対応する位置に、外部設備に対して前記ランヤードを係止するために当該ランヤードの先端に備えられたフックを係止可能な第２連結金具を備えるものであって、
当該作業用衣服は、さらに、
前記後身ごろのうち、前記第２連結金具に対応する位置に形成されて、当該第２連結金具を外部に露出させる第２開口部と、
前記第２開口部を、前記衣服本体の内側から覆う第２内カバーと、
前記第２開口部を前記第２内カバーにより覆った状態で当該第２内カバーを前記前身ごろに対して係脱可能に係止することが可能な第２係止部材と、を備え、
前記第２内カバーは、前記第２連結金具の位置で前記墜落静止用器具の一部と共に前記第２開口部を身体側から覆うことが可能に形成されている、ことを特徴とする作業用衣服。
【請求項５】
請求項１乃至４の何れか一項に記載の作業用衣服において、
前記係止部材は、面ファスナー、線ファスナー及びスナップボタンの何れかであることを特徴とする作業用衣服。
【請求項６】
請求項１乃至５の何れか一項に記載の作業用衣服において、
前記衣服本体は、袖部及びフード部を備え、かつ、全体が不織布で形成されていることを特徴とする作業用衣服。
【発明の詳細な説明】
【技術分野】
【０００１】
本発明は、墜落静止用器具を装着した状態でその上から着用することができる作業用衣服に関する。
【背景技術】
【０００２】
高所作業を行う場合、墜落や転落などの労働災害を防止するために墜落静止用器具（安全帯ともいう）を着用することが行われており、特に一定高さ以上での作業には、墜落制止時に身体にかかる荷重を肩、腰部及び腿もも等で分散して支持する、いわゆるフルハーネス型と称される墜落静止用器具の着用が義務づけられている。
【０００３】
フルハーネス型の墜落静止用器具（以下、単に墜落静止用器具と称す）には、着用者の背中に対応する位置に、親綱その他の取付設備等に係止するためのフックを末端に備えたランヤードと称するロープ状の部材が連結される。そのため、墜落静止用器具を着用した状態で、その上から通常の衣服（防寒着等）を着用することが困難である。
【０００４】
この点に鑑み、近年、特許文献１に開示されるような衣服が提案されている。この衣服には、背中部分に線状の開口部が設けられており、墜落静止用器具に設けられたランヤード連結用の連結金具を当該開口部から外部に導出できるようになっている。従って、墜落静止用器具を装着した状態でその上から衣服を着用することが可能となる。
【先行技術文献】
【特許文献】
【０００５】
【特許文献１】特許第６４７４８６２号公報
【発明の概要】
【発明が解決しようとする課題】
【０００６】
しかし、特許文献１に開示される衣類を着用する場合には、次の手順が必要となる。１）墜落静止用器具を身体に装着する、２）墜落静止用器具の上から衣服を着る、３）開口部から連結金具を外部に導出してこれにランヤードを連結する、という手順が必要となる。従って、上記手順３）については、作業者自身が行うことが困難であり、不便である。
【０００７】
なお、開口部から連結金具が外部に露出するように墜落静止用器具に対して予め衣服を被せ、環状金具にランヤードを連結した状態で、上記手順１）、２）を行うことも考えられる。しかし、この場合には、手順１）の最中に、開口部と環状金具の位置がずれたり、墜落静止用器具から衣服がずれ落ちるなどして着用が煩雑である。
【０００８】
本発明は、上記の事情に鑑みてなされたものであって、墜落静止用器具を装着した状態で着用可能な作業用衣服に関し、より使い易い作業用衣服を提供することを目的とする。
【課題を解決するための手段】
【０００９】
本発明の一局面に係る作業用衣服は、身体の背中に対応する位置にランヤード連結用の連結金具を備えたフルハーネス型の墜落静止用器具を装着した作業者が、当該墜落静止用器具の上から着用することが可能な作業用衣服であって、前身ごろおよび後見ごろを備えた衣服本体と、前記後身ごろのうち、前記連結金具に対応する位置に形成されて、当該連結金具を外部に露出させる開口部と、前記開口部を、前記衣服本体の内側から覆う内カバーと、前記開口部を前記内カバーにより覆った状態で当該内カバーを前記後身ごろに対して係脱可能に係止することが可能な係止部材と、を備え、前記内カバーは、前記連結金具の位置で前記墜落静止用器具の一部と共に前記開口部を身体側から覆うことが可能に形成されているものである。
【００１０】
この作業用衣服によれば、墜落静止用器具を身体に装着しつつその上から作業用衣服を着ることが可能となる。具体的には、開口部から連結金具が外部に露出するように墜落静止用器具に対して予め衣服を被せ、墜落静止用器具の一部を身体側から覆うようにして開口部を内カバーで覆い、この状態で内カバーを係止部材により後身ごろに係止する。このようにすると、作業用衣服が内カバーを介して墜落静止用器具に保持される。そのため、この状態で、ランヤードの基端部を連結金具に連結し、その後、墜落静止用器具を身体に装着しつつその上から作業用衣服を羽織るようにして着れば、開口部と連結金具の位置とがずれたり、墜落静止用器具から衣服がずれ落ちるといった煩雑さを伴うことなく、作業者一人で、難なく墜落静止用器具の上から作業用衣服を着用することが可能となる。従って、作業用衣服がより使い易いものとなる。
【００１１】
上記の作業用衣服において、前記開口部は、外部設備に対して前記ランヤードを係止するために当該ランヤードの先端に備えられたフックを通過させることが可能な開口面積を有しているのが好適である。
【００１２】
この構成によれば、ランヤードの基端部が連結金具に連結されている場合には、開口部からランヤードを外部に引き出すことが可能となる。そのため、前記作業用衣服を着用するために、いちいち連結金具からランヤードを取り外す必要が無くなる。
【００１３】
上記各態様の作業用衣服において、前記内カバーは、その周縁部分の一部が前記後身ごろに一体に固定されており、前記係止部材は、前記内カバーの周縁部分のうち前記一部以外の部分の全部又は一部を前記後身ごろに対して係脱可能に係止することが可能であるのが好適である。
【００１４】
この構成によれば、内カバーが衣服本体（後身ごろ）に連結されているので、未使用時に内カバーを紛失するといった煩わしさが無くなる。
【００１５】
上記各態様の作業用衣服において、前記ランヤードの前記連結金具を第１連結金具、前記衣服本体の前記開口部を第１開口部、前記内カバーを第１内カバー、前記係止部材を第１係止部材と定義したときに、前記墜落静止用器具は、身体の左胸及び／又は右胸に対応する位置に、外部設備に対して前記ランヤードを係止するために当該ランヤードの先端に備えられたフックを係止可能な第２連結金具を備えるものであって、当該作業用衣服は、さらに、前記後身ごろのうち、前記第２連結金具に対応する位置に形成されて、当該第２連結金具を外部に露出させる第２開口部と、前記第２開口部を、前記衣服本体の内側から覆う第２内カバーと、前記第２開口部を前記第２内カバーにより覆った状態で当該第２内カバーを前記前身ごろに対して係脱可能に係止することが可能な第２係止部材と、を備え、前記第２内カバーは、前記第２連結金具の位置で前記墜落静止用器具の一部と共に前記第２開口部を身体側から覆うことが可能に形成されているものであってもよい。
【００１６】
未使用時のランヤードは、通常、先端のフックを第２連結金具に係止することによって、身体に沿わせた状態で保持しておくのであるが、上記態様の作業用衣服によれば、上記作業用衣服を着用したままで、ランヤードのフックを難なく第２連結金具に係止することが可能となる。
【００１７】
また、第２内カバーも第１内カバーと同様に、第２開口部を第２内カバーで塞ぎ、この状態で第２内カバーを第２係止部材により前身ごろに係止すれば、作業用衣服が当該第２内カバーを介して墜落静止用器具に保持されることとなる。つまり、作業用衣服の前後（前身ごろ及び後身ごろ）双方の位置で、当該作業用衣服が内カバー（第１、第２内カバー）を介して墜落静止用器具に保持される。そのため、より安定的に墜落静止用器具に対して作業用衣服を保持させることが可能となる。
【００１８】
上記各態様の作業用衣服において、前記係止部材は、面ファスナー、線ファスナー及びスナップボタンの何れかであるのが好適である。
【００１９】
この構成によれば、簡単な操作で内カバーを衣服本体に対して係脱可能に係止することが可能となり、より使い易いものとなる。
【００２０】
上記各態様の作業用衣服において、前記衣服本体は、袖部及びフード部をさらに備え、かつ、全体が不織布で形成されているものであってもよい。
【００２１】
この構成によれば、墜落静止用器具を装着した状態でその上から着用することができる作業用衣服として、特に、塗装作業などの際に使用されるいわゆる簡易型の防護服として有用なものとなる。
【発明の効果】
【００２２】
上記の各態様の作業用衣服によれば、墜落静止用器具を装着した状態でその上から着用可能な作業用衣服として、より使い易いものを提供することができる。
【図面の簡単な説明】
【００２３】
【図１】（ａ）は、本発明に係る作業用衣服である防護服の正面図、（ｂ）は、前記防護服の背面図である。
【図２】（ａ）は、前記防護服を着用した作業者の正面図、（ｂ）は、前記防護服を着用した作業者の背面図である。
【図３】（ａ）は、背面開口カバーを示す防護服内側の要部斜視図であり、（ｂ）は、第１前開口カバーを示す防護服内側の要部斜視図である。
【図４】（ａ）は、墜落静止用器具を装着した状態の作業者の正面図、（ｂ）は、墜落静止用器具を装着した状態の作業者の背面図である。
【図５】（ａ）は、変形例に係る背面開口カバーを示す防護服内側の要部平面図であり、（ｂ）は、変形例に係る第１前開口カバーを示す防護服内側の要部平面図である。
【図６】（ａ）は、変形例に係る背面開口カバーを示す防護服内側の要部斜視図であり、（ｂ）は、変形例に係る第１前開口カバーを示す防護服内側の要部斜視図である。
【図７】変形例に係る背面開口カバーを示す防護服内側の要部平面図である。
【図８】変形例に係る背面開口カバーを示す防護服内側の要部平面図である。
【図９】変形例に係る背面開口カバーを示す防護服内側の要部平面図である。
【発明を実施するための形態】
【００２４】
以下、本発明の実施形態について図面を参照しつつ詳細に説明する。
【００２５】
［防護服（作業用衣服）の構成］
図１は、本発明に係る作業用衣服の一実施形態である防護服１を示しており、（ａ）は正面図で、（ｂ）は背面図で防護服１を各々示している。
【００２６】
防護服１は、高所での塗装工事の際に塗料の付着等を避けるために作業者が着用するものであり、より詳しくは、フルハーネス型の墜落静止用器具を装着した作業者がその上から着用することにより、作業服及び墜落静止用器具への塗料等の付着を抑制するための防護服である。
【００２７】
ここで、防護服１の説明に先立ち、フルハーネス型の墜落静止用器具について図面を用いて簡単に説明する。図４は、フルハーネス型の墜落静止用器具５０を装着した作業者Ｍを示しており、図４（ａ）は正面図で、図４（ｂ）は背面図で各々作業者Ｍを示している。同図では、作業者Ｍはその作業服のみで示されおり、人体自体は省略されている。
【００２８】
フルハーネス型の墜落静止用器具５０は、高所作業時の墜落や転落などの労働災害を防止するために労働安全衛生法に基づき規定された周知の墜落静止用器具のうち、特に、身体にかかる荷重を肩、腰部及び腿等において支持し得るように構成されたものである。
【００２９】
墜落静止用器具５０は、左右一対の肩ベルト５２、５２と、これら肩ベルト５２、５２を作業者Ｍの胸元で連結する胸ベルト５４と、各肩ベルト５２、５２の各々両端が連結された胴ベルト５６と、両端が各々胴ベルト５６に連結された環状の左右一対の腿ベルト５８、５８とを備えている。
【００３０】
左右の肩ベルト５２、５２は、作業者Ｍの背中部分で交差するように設けられている。肩ベルト５２、５２の交差部分には、背面バックル６０が取り付けられており、これにより一対の肩ベルト５２、５２が一つに纏められている。
【００３１】
背面バックル６０には、Ｄ環と称される環状金具からなる背面金具６２（本発明の第１連結金具に相当する）が取り付けられている。背面金具６２にはランヤード６４が連結されている。ランヤード６４は、先端部にフック６６を備えたロープ状の部材であり、いわゆる命綱である。つまり、フック６６を所定の取付設備等に係止して作業を行うことで、作業者Ｍは、墜落や転落を回避することが可能となる。
【００３２】
なお、ランヤード６４の基端部（フック６６側とは反対側の端部）には、フック６６とは別に係止金具６７が設けられており、ランヤード６４は、この係止金具６７を介して背面金具６２に係脱可能に連結されている。
【００３３】
各肩ベルト５２、５２のうち、作業者Ｍの胸元部分には、ランヤード６４の前記フック６６を係止可能な、環状金具からなる前面金具６８，７０（各々本発明の第２連結金具に相当する）が各々設けられている。これらの前面金具６８、７０（第１前面金具６８、第２前面金具７０という）は、休止フック等と称されるもので、ランヤード６４のフック６６を係止することで、未使用時のランヤード６４を身体に沿わせた状態で手ぶらで持ち運ぶことが可能となる。
【００３４】
なお、胸ベルト５４及び胴ベルト５６の各々途中部分には、脱着用バックル５４ａ、５６ａが設けられており、作業者Ｍがこれらのバックル５４ａ、５６ａを操作することにより、墜落静止用器具５０の装着及び取り外しが可能となる。
【００３５】
図１に戻って、上記防護服１は、上記の通り、高所での塗装作業を行う場合に、墜落静止用器具５０を装着した作業者Ｍがその上から着用するものである。
【００３６】
防護服１は、着用者の上半身を覆う衣服本体２を有する。この衣服本体２は、前身ごろ４ａ、後身ごろ４ｂ、左右一対の袖部６及びフード８を備えている。衣服本体２は、例えばポリプロピレン（ＰＰ）等の化学繊維からなる不織布で形成されており、前面部、袖部及びフード部などの特定箇所には、例えばポリエチレン（ＰＥ）の表面コート処理が施されている。
【００３７】
なお、図示を省略しているが、前身ごろ４ａの横方向（幅方向）中央には、線ファスナーが上下方向に亘って設けられており、防護服１を脱ぎ着する際には、この線ファスナーで衣服本体２の前面を開放するようになっている。
【００３８】
衣服本体２の背面、すなわち後身ごろ４ｂのうち、墜落静止用器具５０の背面金具６２に対応する位置には、当該背面金具６２を外部に露出（導出）させるための背面開口部１０（本発明の第１開口部に相当する）が設けられている。背面開口部１０は、横方向に若干細長い長方形の開口部である。この背面開口部１０は、ランヤード６４の前記フック６６（背面金具６２よりも大きい）を通すことが可能な開口面積を有している。
【００３９】
一方、衣服本体２の前面、すなわち、前身ごろ４ａのうち、墜落静止用器具５０の前面金具６８、７０にそれぞれ対応する位置には、当該前面金具６８、７０をそれぞれ外部に露出（導出）させるための前面開口部２０ａ、２０ｂ（各々本発明の第２開口部に相当する）が設けられている。各前面開口部２０ａ、２０ｂ（第１前面開口部２０ａ、第２前面開口部２０ｂという）は、何れも上下方向に若干細長い長方形の開口部であり、各々前面金具６８、７０を通すことが可能な開口面積を有している。
【００４０】
衣服本体２には、その内側から前記各開口部１０、２０ａ、２０ｂを覆う（塞ぐ）ための内カバーが設けられている。具体的には、背面開口部１０を覆うための背面開口カバー１２（本発明の第１内カバーに相当する）と、第１、第２の前面開口部２０ａ、２０ｂをそれぞれ覆うめの第１、第２の前開口カバー２２ａ、２２ｂ（各々本発明の第２内カバーに相当する）とが設けられている。
【００４１】
図３（ａ）は、背面開口カバー１２を示す防護服内側の要部斜視図である。背面開口カバー１２は、衣服本体２と同様に例えばポリプロピレン（ＰＰ）等の化学繊維からなる不織布で形成されている。背面開口カバー１２は、背面開口部１０と略同形状の長方形の輪郭を有しかつ背面開口部１０よりもひとまわり程大きく形成されている。
【００４２】
背面開口カバー１２は、その各辺と背面開口カバー１２の対応する各辺とが互いに平行となるように配置されている。背面開口カバー１２の左端部は、背面開口部１０の左辺に沿って後身ごろ４ｂに一体に固定（例えば縫着）されている。これにより、背面開口カバー１２は、その左辺を支点として背面開口部１０を開閉し得るにようになっている。
【００４３】
背面開口カバー１２は、面ファスナー１４（本発明の第１係止部材に相当する）によって後身ごろ４ｂに係止可能となっている。面ファスナー１４は、後身ごろ４ｂに固定（例えば縫着）された雄型ファスナー１４ａと、背面開口カバー１２に固定（例えば縫着）された雌型ファスナー１４ｂとで構成されている。雄型ファスナー１４ａは、背面開口部１０の上辺、右辺及び下辺に沿ってコ字状に連続して設けられており、雌型ファスナー１４ｂは、雄型ファスナー１４ａに重なるように、背面開口カバー１２の上辺、右辺及び下辺に沿ってコ字状に連続して設けられている。これにより、背面開口部１０を覆うように背面開口カバー１２を後身ごろ４ｂに重ねると、背面開口部１０を覆った状態で、背面開口カバー１２が後身ごろ４ｂに係止される。一方、この状態から、背面開口カバー１２と共に雌型ファスナー１４ｂを雄型ファスナー１４ａから引き剥がすと、背面開口部１０を開放することが可能となる。
【００４４】
図３（ｂ）は、第１前開口カバー２２ａを示す防護服内側の要部斜視図である。背面開口カバー１２も、基本的には上述した背面開口カバー１２と同等の構成を有している。すなわち、背面開口カバー１２は、衣服本体２と同様に例えばポリプロピレン（ＰＰ）等の化学繊維からなる不織布で形成され、第１前開口カバー２２ａよりもひとまわり程大きい長方向の輪郭を有し、第１前開口カバー２２ａの左辺に沿って前身ごろ４ａに一体に固定（例えば縫着）されている。
【００４５】
また、第１前開口カバー２２ａは、面ファスナー２４（本発明の第２係止部材に相当する）によって前身ごろ４ａに係止可能となっている。面ファスナー２４は、第１前開口カバー２２ａに沿って前身ごろ４ａに固定（例えば縫着）されたコ字状の雄型ファスナー２４ａと、背面開口カバー１２に固定（例えば縫着）されたコ字状の雌型ファスナー２４ｂとで構成されている。これにより、第１前面開口部２０ａを覆うように第１前開口カバー２２ａを後身ごろ４ｂに重ねると、第１前面開口部２０ａを覆った状態で、第１前開口カバー２２ａが前身ごろ４ａに係止される。一方、この状態から、第１前開口カバー２２ａと共に雌型ファスナー２４ｂを雄型ファスナー２４ａから引き剥がすと、第１前面開口部２０ａを開放することが可能となる。
【００４６】
なお、図示を省略しているが、第２前開口カバー２２ｂは、第１前開口カバー２２ａと左右対称に構成されており、第１前開口カバー２２ａと同様に、面ファスナー２４（本発明の第２係止部材に相当する）により前身ごろ４ａに係脱可能に係止されるようになっている。
【００４７】
［作用効果等］
この防護服１は、上記の通り墜落静止用器具５０の上から着用するものであり、例えば、以下の手順に従うことで、墜落静止用器具５０の装着と併せて着用することが可能となる。
【００４８】
まず、墜落静止用器具５０を準備してその上から防護服１を被せ、背面開口部１０を通じてランヤード６４及び背面金具６２を衣服本体２の外部に導出する。この際、背面開口部１０は、その開口面積がランヤード６４のフック６６より大きいため、難なくランヤード６４を衣服本体２の外側に導出させることができる。
【００４９】
次に、墜落静止用器具５０の一部、具体的には肩ベルト５２及び背面バックル６０と共に背面開口部１０を背面開口カバー１２により内側（身体側）から覆うようにして、当該背面開口カバー１２を面ファスナー１４で後身ごろ４ｂに係止する。このようにすると、墜落静止用器具５０が衣服本体２と背面開口カバー１２との間に挟み込まれ、衣服本体２の背中部分が、背面開口カバー１２を介して墜落静止用器具５０（肩ベルト５２及び背面バックル６０）に保持されることとなる。この場合、面ファスナー１４のうち、肩ベルト５２等と重複する部分以外の部分で雄型面ファスナー１４ａと雌型面ファスナー１４ｂとが係合することにより、衣服本体２が墜落静止用器具５０に保持される。
【００５０】
同様に、第１前面開口部２０ａを通じて第１前面金具６８を外部に露出させ、肩ベルト５２（正面視で左側の肩ベルト５２）と共に第１前面開口部２０ａを内側から第１前開口カバー２２ａで覆うようにして第１前開口カバー２２ａを面ファスナー２４で前身ごろ４ａに係止する。また、第２前面開口部２０ｂを通じて第２前面金具７０を外部に露出させ、肩ベルト５２（正面視で右側の肩ベルト５２）と共に第２前面開口部２０ｂを内側から第２前開口カバー２２ｂで覆うようにして当該第２前開口カバー２２ｂを面ファスナー２４で前身ごろ４ａに係止する。これにより、衣服本体２の左右の胸部分を、第１、第２の前開口カバー２２ａ、２２ｂを介して墜落静止用器具５０（肩ベルト５２）に保持させる。
【００５１】
この状態で、墜落静止用器具５０を持ち上げて各腿ベルト５８に脚を通し、各肩ベルト５２を肩に掛けながら防護服１を羽織ってその各袖部６に腕を通す。この場合、防護服１（衣服本体２）は、上記の通り各開口カバー１２、２２ａ、２２ｂによって墜落静止用器具５０に保持されているので、各開口部１０、２０ａ、２０ｂと各金具６２、６８，７０の位置とがずれたり、防護服１が墜落静止用器具５０からずれ落ちることがない。
【００５２】
その後、脱着用バックル５４ａ、５６ａを操作して胸ベルト５４及び胴ベルト５６を留めるとともに、図外の線ファスナーを操作して防護服１（衣服本体２）の前面を閉じる。これにより、墜落静止用器具５０の装着および防護服１の着用が完了する。
【００５３】
このように、上記の防護服１によれば、作業者一人で、墜落静止用器具５０の装着と共に防護服１を難なく着用することが可能となる。よって、防護服１がより使い易いものとなる。
【００５４】
なお、上述した手順では、墜落静止用器具５０の背面金具６２に予めランヤード６４が連結されているが、ランヤード６４が背面金具６２から取り外されている場合には、各開口カバー１２、２２ａ、２２ｂを介して衣服本体２を墜落静止用器具５０に保持させた後、ランヤード６４を、係止金具６７を介して背面金具６２ｂに連結するようにすればよい。この場合、背面金具６２に比べて背面開口部１０の開口面積が大きいため（図２（ｂ）参照）、防護服１と背面金具６２との相対的な位置調整を行い易いという利点がある。
【００５５】
［変形例等］
上述した防護服１は、本発明に係る作業用衣服の好ましい実施形態の例示であって、その具体的な構成は、本発明の要旨を逸脱しない範囲で適宜変更可能である。例えば、以下のような構成を採用することも可能である。
【００５６】
（１）上記実施形態では、各開口カバー１２、２２ａ、２２ｂを衣服本体２（前身ごろ４ａ、後身ごろ４ｂ）に係脱可能に係止する「係止部材」として面ファスナー１４、２４が適用されている。しかし、「係止部材」は面ファスナーに限定されるものではなく、図５（ａ）、（ｂ）に示すようなスナップボタン３０、３２であってもよいし、図６（ａ）、（ｂ）に示すような線ファスナー３４、３６であってもよい。これらの構成によれば、衣服本体２（前身ごろ４ａ、後身ごろ４ｂ）に対する各開口カバー１２、２２ａ、２２ｂの係止強度を面ファスナー１４、２４に比べて強くすることができるため、防護服１をより安定的に墜落静止用器具５０に保持させることが可能となる。
【００５７】
（２）上記実施形態では、各開口カバー１２、２２ａ、２２ｂは、それらの一辺が衣服本体２（前身ごろ４ａ、後身ごろ４ｂ）に固定（例えば縫着）されており、これにより、各開口カバー１２、２２ａ、２２ｂと衣服本体２とが一体となっている。しかし、各開口カバー１２、２２ａ、２２ｂは、それら単体で衣服本体２から分離できる構成であってもよい。具体的には、各開口カバー１２、２２ａ、２２ｂの全周にわって面ファスナー１４、２４が設けられる構成であってもよい。この構成によれば、防護服１の使用環境に応じて、例えば各開口カバー１２、２２ａ、２２ｂを、メッシュ生地等の通気性の良い素材で形成されたものに交換等することが可能となる。そのため、着用時の環境に応じた作業性の良い防護服１を提供することが可能となる。このような構成は、上記の通り「係止部材」としてスナップボタンや線ファスナーを適用した場合も同様である。
【００５８】
（３）上記実施形態では、背面開口部１０及び各前面開口部２０ａ、２０ｂの形状や、各開口カバー１２、２２ａ、２２ｂの形状は略長方形であるが、これらの形状は略長方形に限定されるものではない。また、各開口カバー１２、２２ａ、２２ｂが衣服本体２（前身ごろ４ａ、後身ごろ４ｂ）に固定（例えば縫着）される位置も左右の何れかの一辺に限定されるものではない。各開口部１０、２０ａ、２０ｂの形状も、各金具６２、６８、７０等を外部に露出させ得る形状であれば長方形以外の形状であってもよいし、各開口カバー１２、２２ａ、２２ｂの形状は、墜落静止用器具５０の一部（肩ベルト５２等）と共に各開口部１０、２０ａ、２０ｂの一部又は全部を身体側から覆うことが可能であれば、長方形以外の形状であってもよい。
【００５９】
例えば、背面開口カバー１２は、図７に示すように、上半分が山型形状、すなわち左右に弧状の切欠き部分が形成された形状であって上端部分１３が後身ごろ４ｂに固定（例えば縫着）された形状であってもよい。この場合には、同図に示すように、背面開口カバー１２の下半分の外縁部に沿って面ファスナー１４が設けられる。
【００６０】
この図７に示す防護服１は、肩ベルト５２が背中部分で交差するタイプの墜落静止用器具５０にも適用可能であるが、同図中に仮想線で示すように、肩ベルト５２が背中部分で一つに統合されるタイプの墜落静止用器具に適する。この場合、上記「係止部材」として、図８に示すように、スナップボタン３０を適用することも可能である。
【００６１】
また、背面開口カバー１２としては、図９に示すように、各々が背面開口部１０の一部を覆うように形成された複数のカバー片によって背面開口カバー１２が構成されていてもよい。図９の例では、上下に並んで各々左右方向に延在する２本のカバー片１２ａ、１２ｂによって背面開口カバー１２が構成されている。このような構成は、他の開口カバー２２ａ、２２ｂについても適用可能である。なお、この構成の場合も、上記「係止部材」として、面ファスナー１４以外に、スナップボタン３０等を適用することが可能である。
【００６２】
（４）上記実施形態では、本発明の作業用衣服の一例として防護服１について説明したが、本発明の作業用衣服は、防護服に限定されるものではなく、防風・防水服（ヤッケ）、耐熱服、防炎服、防寒服及び空調服等の各種衣服に適用可能である。
【符号の説明】
【００６３】
１  防護服（作業用衣服）
２  衣服本体
４ａ  前身ごろ
４ｂ  後身ごろ
１０  背面開口部（第１開口部）
１２  背面開口カバー（第１内カバー）
１４  面ファスナー（第１係合部材）
２０ａ  第１前面開口部（第２開口部）
２０ｂ  第２前面開口部（第２開口部）
２２ａ  第１前開口カバー（第２内カバー）
２２ｂ  第２前開口カバー（第２内カバー）
２４  面ファスナー（第２係合部材）
５０  墜落静止用器具
６２  背面金具（第１連結金具）
６８  第１前面金具（第２連結金具）
７０  第２前面金具（第２連結金具）
Ｍ  作業者
【図１】
0006854017.tif 000002
【図２】
0006854017.tif 000003
【図３】
0006854017.tif 000004
【図４】
0006854017.tif 000005
【図５】
0006854017.tif 000006
【図６】
0006854017.tif 000007
【図７】
0006854017.tif 000008
【図８】
0006854017.tif 000009
【図９】
0006854017.tif 000010